(57)【要約】【課題】水洗式便器の施工にかかる手間を省くことが可能な排水接続具、水洗式便器、水洗式便器の施工方法及び固定具を提供する。【解決手段】排水接続具Ｃは、一端側に流入口３１が形成されるとともに他端側に流出口３２が形成された管状をなし、軸線３０Ｚが曲がるように変形自在な排水ソケット３０と、前記流入口３１の位置を便器本体１０の排水口１６の位置にあわせて固定する固定具５０と、を備えている。【選択図】図１
2020037790.tif 000002
【特許請求の範囲】
【請求項１】
便器本体の排水口と排水管とを接続する排水接続具であって、
一端側に流入口が形成されるとともに他端側に流出口が形成された管状をなし、軸線が曲がるように変形自在な排水ソケットと、
前記流入口の位置を前記便器本体の排水口の位置にあわせて固定する固定具と、
を備えている排水接続具。
【請求項２】
前記固定具が、前記便器本体の内側に収まる請求項１に記載の排水接続具。
【請求項３】
前記排水ソケットが、前記流出口を床の排水管または壁の排水管のどちらにも接続できるように変形自在である請求項１または請求項２に記載の排水接続具。
【請求項４】
前記流入口が、前記固定具によって固定された状態において、上方に開口している請求項１ないし請求項３のいずれか一項に記載の排水接続具。
【請求項５】
前記排水ソケットの内周面が平滑な面である請求項１ないし請求項４のいずれか一項に記載の排水接続具。
【請求項６】
便鉢を有し、前記便鉢の下流側に排水口が形成された便器本体と、
請求項１ないし請求項５のいずれか一項に記載の排水接続具と、
を備えている水洗式便器。
【請求項７】
請求項６に記載の水洗式便器の施工方法であり、
前記排水ソケットの流出口を床の排水管または壁の排水管に接続する排水管接続工程と、
前記排水ソケットの流入口の位置を所定の位置にあわせて前記固定具により固定する流入口固定工程と、
前記便器本体の排水口を前記排水ソケットの流入口に接続する便器接続工程と、
を経る水洗式便器の施工方法。
【請求項８】
一端側に流入口が形成されるとともに他端側に流出口が形成された管状をなし、軸線が曲がるように変形自在な排水ソケットの前記流入口の位置を便器本体の排水口の位置にあわせて固定する固定具であり、
壁や床を介して固定され、かつ、前記排水ソケットが貫通するように上方、下方及び後方に開口している固定具。
【発明の詳細な説明】
【技術分野】
【０００１】
本発明は、排水接続具、水洗式便器、水洗式便器の施工方法及び固定具に関する。
【背景技術】
【０００２】
従来、水洗式便器において、便器本体の排水口と床の排水管とを排水ソケットにより接続する技術が知られている（例えば下記特許文献１に記載）。一般に、床の排水管は、壁からの距離が１２０ｍｍ、２００ｍｍ、または２００〜５５０ｍｍ等、様々な位置に配されている。このため、この種の水洗式便器の施工には、便器本体の排水口と床の排水管とを繋ぐのに適した長さを有する排水ソケットが適宜用いられる。
【先行技術文献】
【特許文献】
【０００３】
【特許文献１】特開２０１７−６１７８５号公報
【発明の概要】
【発明が解決しようとする課題】
【０００４】
しかしながら、上記のような構成では、床の排水管の位置等に応じて排水ソケットを選ぶ必要がある。このため、例えばリフォームなどで現場の状況がわからない場合には、実際に現場を確認してから排水ソケットを準備する等の手間を要した。
【０００５】
本発明は上記のような事情に基づいて完成されたものであって、水洗式便器の施工にかかる手間を省くことが可能な排水接続具、水洗式便器、水洗式便器の施工方法及び固定具を提供することを目的とする。
【課題を解決するための手段】
【０００６】
本発明１の排水接続具は、便器本体の排水口と排水管とを接続する排水接続具であって、一端側に流入口が形成されるとともに他端側に流出口が形成された管状をなし、軸線が曲がるように変形自在な排水ソケットと、前記流入口の位置を前記便器本体の排水口の位置にあわせて固定する固定具と、を備えているものである。
【０００７】
本発明２の水洗式便器は、便鉢を有し、前記便鉢の下流側に排水口が形成された便器本体と、前記排水接続具と、を備えているものである。
【０００８】
本発明３の水洗式便器の施工方法は、前記水洗式便器の施工方法であり、前記排水ソケットの流出口を床の排水管または壁の排水管に接続する排水管接続工程と、前記排水ソケットの流入口の位置を所定の位置にあわせて前記固定具により固定する流入口固定工程と、前記便器本体の排水口を前記排水ソケットの流入口に接続する便器接続工程と、を経る方法である。
【０００９】
本発明１，２，３によれば、床の排水管と便器本体の排水口との位置に応じて排水ソケットを変形できるから、床の排水管の位置等に応じて排水ソケットを選ぶ必要がない。したがって、水洗式便器の施工にかかる手間を省くことができる。また、水洗式便器の施工時に、固定具により排水ソケットの流入口の位置を便器本体の排水口の位置にあわせて固定できるから、水洗式便器の施工を容易に行うことができる。
【００１０】
本発明４の固定具は、一端側に流入口が形成されるとともに他端側に流出口が形成された管状をなし、軸線が曲がるように変形自在な排水ソケットの前記流入口の位置を便器本体の排水口の位置にあわせて固定する固定具であり、壁や床を介して固定され、かつ、前記排水ソケットが貫通するように上方、下方及び後方に開口しているものである。
【００１１】
本発明４によれば、上方の開口を介して排水ソケットの流入口を便器本体の排水口に接続でき、下方の開口を介して排水ソケットの流出口を床の排水管に接続でき、また後方の開口を介して排水ソケットの流出口を壁の排水管に接続できる。すなわち、本構成によれば、床下排水方式と床上排水方式とのどちらにも対応できる。
【図面の簡単な説明】
【００１２】
【図１】本実施例における水洗式便器であって、床の排水管に接続した状態を示す断面図
【図２】固定具により排水ソケットの流入口の位置が固定される様子を示す図
【図３】固定具を示す平面図
【図４】排水ソケットを示す断面図
【図５】壁の排水管に接続した状態の水洗式便器を示す断面図
【発明を実施するための形態】
【００１３】
本発明の好ましい形態を以下に示す。
本発明の排水接続具は、前記固定具が、前記便器本体の内側に収まるものとしてもよい。このような構成によれば、便器本体の外側に、固定具を設置するスペースを省くことができる。
【００１４】
本発明の排水接続具は、前記排水ソケットが、前記流出口を床の排水管または壁の排水管のどちらにも接続できるように変形自在であるものとしてもよい。このような構成によれば、床の排水管に接続するのみならず、壁の排水管に接続する場合も含めて排水ソケットを選ぶ必要がないから、水洗式便器の施工にかかる手間をより省くことができる。
【００１５】
また、本発明の排水接続具は、前記流入口が、前記固定具によって固定された状態において、上方に開口しているものとしてもよい。このような構成によれば、排水ソケットの流入口に、便器本体の排水口を上方から嵌合して接続できるから、接続作業を容易に行うことができる。
【００１６】
また、本発明の排水接続具は、前記排水ソケットの内周面が平滑な面であるものとしてもよい。このような構成によれば、排水ソケットの内周面に汚物を引っ掛かりにくくすることができる。
【００１７】
＜実施例＞
以下、本発明を具体化した一実施例について、図１〜図５を参照しつつ詳細に説明する。
本実施例における水洗式便器Ｔは、便器本体１０と、排水接続具Ｃとを備えている。排水接続具Ｃは、軸線３０Ｚが曲がるように変形自在な排水ソケット３０と、排水ソケット３０の流入口３１を所定の位置に固定する固定具５０とを備えている。以下、各構成部材において、図１の上側（水洗式便器Ｔを床面１００に設置した状態における上側）を上方、下側を下方、右側を前方、左側を後方として説明する。
【００１８】
便器本体１０は、便鉢１１を有し、便鉢１１の下流側には、汚水を排水する排水路１２が形成されている。排水路１２を形成する排水管部１３は便鉢１１の底壁１４から後側に延びている。排水路１２は、便鉢１１の底壁１４に形成された開口１５から斜め後方へ下がる第１排水路１２Ｆと、第１排水路１２Ｆの下流端から斜め後方へ上る第２排水路１２Ｓと、第２排水路１２Ｓの下流端から下方へ下がる第３排水路１２Ｔとを有している。第２排水路１２Ｓの上端より下方に位置する第２排水路１２Ｓ、第１排水路１２Ｆ、及び便鉢１１の下部に洗浄水が滞留され水封が形成される。すなわち便鉢１１の下部と排水管部１３とにより排水トラップが形成される。
【００１９】
第３排水路１２Ｔの下端開口は、排水口１６である。排水口１６は、鉛直方向下向きに開口している。すなわち排水口１６の軸線１６Ｚは、重力の方向と略平行である。排水口１６は、排水管部１３の下流端部の鉛直方向真下に突出した排水突出管部１７に形成されている。
【００２０】
便器本体１０は、下端が床面１００に設置されるスカート部１８を有している。スカート部１８は、便鉢１１の全周囲を包囲する外壁１９と、外壁１９の内側に設けられた内壁２１と、便鉢１１の後側に設けられた後壁２２とを備えている。
【００２１】
外壁１９は、便鉢１１の上端から外方に向かって略水平に延出した水平壁２３の外周縁から下方に垂下している。内壁２１は、便鉢１１の底壁１４から下方に垂下している。内壁２１の前面部２１Ｆは、上端から下端に向かって前方に延出し、外壁１９の下端に繋がっている。後壁２２は、便器本体１０の後端部に設けられ排水突出管部１７の後側を覆って略垂直に立っている。
【００２２】
後壁２２には、図５に示すように、排水ソケット３０が貫通する貫通部２４を設けてもよいし、図１に示すように、貫通部２４を設けなくてもよい。図５に示すように、後壁２２に貫通部２４を設けた便器本体１０は、床の排水管に汚水を排水する床下排水方式と、トイレルームの壁に設けられた排水管に汚水を排水する床上排水方式との両方に対応できる。
【００２３】
排水ソケット３０は、図４に示すように、軸方向の両側が開口した円管状をなしている。排水ソケット３０の一端側には、便器本体１０の排水口１６に連通する流入口３１が形成され、他端側には、床の排水管１０１または壁の排水管１０２に連通する流出口３２が形成されている。
【００２４】
排水ソケット３０の外周面には、山部３３と谷部３４とが軸方向に交互に連続して形成されている。すなわち、排水ソケット３０は、軸線３０Ｚが屈曲するように変形自在な蛇腹管である。排水ソケット３０の内周面３５は、図４に示すように、軸方向に凹凸がない平滑な円弧面である。排水ソケット３０の厚さ寸法（径方向の寸法）は、山部３３において大きく、谷部３４において小さくされている。
【００２５】
排水ソケット３０は、山部３３の間隔を広げたり狭めたりして軸方向の寸法を大きくしたり小さくしたりできる。すなわち排水ソケット３０を長くしたり短くしたりできる。排水ソケット３０は、図１に示すように、排水ソケット３０の流入口３１側と流出口３２側とで軸線３０Ｚが平行にずれるように変形できる。また、排水ソケット３０は、図５に示すように、排水ソケット３０の流入口３１側と流出口３２側とで軸線３０Ｚが交差するように屈曲できる。排水ソケット３０は、断面形状を概ね一定に保ったまま、言い換えると、内径寸法が概ね一定のまま変形できる。
【００２６】
排水ソケット３０は、流入口３１が形成された流入管部３６と、流出口３２が形成された流出管部３７と、流入管部３６と流出管部３７との間の本体管部３８と、を有している。本体管部３８の大部分が蛇腹部である。
【００２７】
流入管部３６は、固定具５０に固定され、流出管部３７は、床の排水管１０１又は壁の排水管１０２に接続される。流入管部３６と固定具５０との固定、及び流出管部３７と排水管１０１，１０２との接続は、ホースバンド等の接続具３９によりなされる。流入管部３６及び流出管部３７には、接続具３９が巻き付けられる溝部４１が形成されている。溝部４１は、流入管部３６及び流出管部３７それぞれの全周に延び、軸方向の両側にリブ４２が立っている。
【００２８】
固定具５０は、床面１００に固定され、流入口３１（流入管部３６）を便器本体１０の排水口１６の位置にあわせて固定する。固定具５０は、排水ソケット３０が貫通するように上方、下方、前方及び後方に開口している。固定具５０は、排水ソケット３０を固定するソケット固定部５１と、ソケット固定部５１を支持する脚部５２と、床面１００に固定される被固定部５３とを備えている。
【００２９】
ソケット固定部５１は、平面視、略方形の平板状をなす板状部５７と、板状部５７の略中心部に設けられて、上下方向の両側に開口した筒状部５４とを一体に備えている。固定具５０を床面１００に固定した状態では、板状部５７が所定の高さ位置で床面１００と略平行に配され、筒状部５４が鉛直方向上向きに開口する。
【００３０】
筒状部５４は、板状部５７の上下両側に突出している。筒状部５４のうち板状部５７より上方に突出している部分は、便器本体１０の排水口１６が接続される便器接続部５４Ｂである。
【００３１】
便器接続部５４Ｂには、弾性材料により形成されたパッキン６０が取り付けられている。便器接続部５４Ｂの外周面には、パッキン６０が軸方向に係止する係止突起５５が設けられている。パッキン６０は、便器接続部５４Ｂの外周側に嵌合する環状をなす外嵌部６１と、便器接続部５４Ｂの内周側に延出する延出部６２とを有している。
【００３２】
筒状部５４のうち板状部５７より下方に突出している部分は、排水ソケット３０の流入管部３６が接続されるソケット接続部５４Ｓとされている。ソケット接続部５４Ｓは、便器接続部５４Ｂと同軸の円筒状をなし、便器接続部５４Ｂに比して径寸法が小さくされている。流入管部３６は、ソケット接続部５４Ｓに嵌し、接続具３９により固定される。
【００３３】
脚部５２は、板状部５７の両側（板状部５７のうち筒状部５４の径方向両側に位置する一対の外縁）から略垂直に垂下している。一対の脚部５２の間の空間（ソケット固定部５１の下方の空間）は、筒状部５４により上方に開口するとともに、下方に開口し、また前後両側に開口している。
【００３４】
被固定部５３は、脚部５２の下端から外側へ略水平に延出し、床面１００に沿って配される。被固定部５３は、複数（本実施例では４つ）の締結部材５６により床面１００に固定される。締結部材５６は、筒状部５４を略中心にした周囲４か所（４隅）を床面１００に固定する。
【００３５】
次に、本実施例の水洗式便器Ｔの施工方法の一例を説明する。この水洗式便器Ｔの排水接続具Ｃは、便器本体１０の床に設けられた排水管１０１に汚水を排水する床下排水方式（図１参照）と、トイレルームの壁に設けられた排水管１０２に汚水を排水する床上排水方式（図５参照）とのどちらにも対応できる。
【００３６】
水洗式便器Ｔの施工方法は、排水ソケット３０の流出口３２を床の排水管１０１または壁の排水管１０２に接続する排水管接続工程と、排水ソケット３０の流入口３１を所定の位置にあわせて固定具５０により固定する流入口固定工程と、便器本体１０の排水口１６を排水ソケット３０の流入口３１に接続する便器接続工程と、を経る。便器接続工程は、排水管接続工程及び流入口固定工程を経た後に行う。
【００３７】
排水管接続工程と流入口固定工程とは、どちらの工程を先に行ってもよい。すなわち、排水ソケット３０の流出口３２を床の排水管１０１または壁の排水管１０２に接続した後、排水ソケット３０の流入口３１を固定具５０によって固定してもよいし、排水ソケット３０の流入口３１を固定具５０によって固定した後に、排水ソケット３０の流出口３２を床の排水管１０１または壁の排水管１０２に接続してもよい。
【００３８】
排水管接続工程または流入口固定工程は、流入口３１と便器本体１０の排水口１６との位置、流出口３２と床の排水管１０１又は壁の排水管１０２との位置がそれぞれ整合するように排水ソケット３０を変形して行う。例えば、床下排水方式の施工においては、図１に示すように、排水ソケット３０の中間部を段差状に変形することができ、床上排水方式の施工においては、図５に示すように、排水ソケット３０の中間部を略直角に屈曲することができる。
【００３９】
流入口固定工程は、固定具５０を床面１００に固定する床固定作業と、固定具５０に排水ソケット３０を固定するソケット固定作業とを行う。床固定作業とソケット固定作業とは、どちらの作業を先に行ってもよい。すなわち、固定具５０を床面１００に固定した後、固定具５０に排水ソケット３０を固定してもよいし、固定具５０に排水ソケット３０を固定した後、固定具５０を床面１００に固定してもよい。
【００４０】
こうして、排水管接続工程及び流入口固定工程を経た後、便器接続工程を行う。便器接続工程では、固定具５０により所定の位置に固定された排水ソケット３０の流入口３１に便器本体１０の排水口１６を接続する。排水ソケット３０の流入口３１は、高さ方向及び水平方向ともに便器本体１０の排水口１６に整合した位置に配され、鉛直方向上向きに開口している。
【００４１】
便器本体１０を持ち上げ、排水突出管部１７を固定具５０の便器接続部５４Ｂの位置に合わせ、便器本体１０を排水ソケット３０に被せるようにして床面１００に降ろす。便器接続部５４Ｂに便器本体１０の排水突出管部１７が挿入され、パッキン６０の延出部６２が排水突出管部１７の外周面と便器接続部５４Ｂの内周面とに密着した状態になり、筒状部５４と排水突出管部１７とが接続される。これにより、排水突出管部１７と流入管部３６とが軸方向に連なり、排水口１６と流入口３１とが連通する。また、排水ソケット３０はスカート部１８の内側に収まる。
以上により、水洗式便器Ｔの設置作業が完了する。
【００４２】
次に、上記のように構成された実施例の作用および効果について説明する。
本実施例の排水接続具Ｃは、一端側に流入口３１が形成されるとともに他端側に流出口３２が形成された管状をなし、軸線３０Ｚが曲がるように変形自在な排水ソケット３０と、流入口３１を便器本体１０の排水口１６の位置にあわせて固定する固定具５０と、を備えている。
【００４３】
この構成によれば、床の排水管１０１と便器本体１０の排水口１６との位置に応じて排水ソケット３０を変形することができるから、床の排水管１０１の位置等に応じて排水ソケット３０を選ぶ必要がない。したがって、水洗式便器Ｔの施工にかかる手間を省くことができる。また、水洗式便器Ｔの施工時に、固定具５０により排水ソケット３０の流入口３１を便器本体１０の排水口１６の位置にあわせて固定できるから、水洗式便器Ｔの施工を容易に行うことができる。
【００４４】
また、固定具５０が、便器本体１０の内側に収まるから、便器本体１０の外側に、固定具５０を設置するスペースを省くことができる。
また、排水ソケット３０が、流出口３２を床の排水管１０１または壁の排水管１０２のどちらにも接続できるように変形自在である。この構成によれば、床の排水管１０１に接続するのみならず、壁の排水管１０２に接続する場合も含めて排水ソケット３０を選ぶ必要がないから、水洗式便器Ｔの施工にかかる手間をより省くことができる。
【００４５】
また、流入口３１が、固定具５０によって固定された状態において、上方に開口している。この構成によれば、排水ソケット３０の流入口３１に、便器本体１０の排水口１６を上方から嵌合して接続できるから、接続作業を容易に行うことができる。
【００４６】
また、排水ソケット３０の内周面３５が平滑な面である。この構成によれば、排水ソケット３０の内周面３５に汚物を引っ掛かりにくくすることができる。
また、固定具５０は、壁や床を介して固定され、かつ、排水ソケット３０が貫通するように上方、下方及び後方に開口しているものである。この構成によれば、上方の開口を介して排水ソケット３０の流入口３１を便器本体１０の排水口１６に接続でき、下方の開口を介して排水ソケット３０の流出口３２を床の排水管１０１に接続でき、また後方の開口を介して排水ソケット３０の流出口３２を壁の排水管１０２に接続できる。すなわち、本実施例によれば、床下排水方式と床上排水方式とのどちらにも対応できる。
【００４７】
＜他の実施例＞
本発明は上記記述及び図面によって説明した実施例に限定されるものではなく、例えば次のような実施例も本発明の技術的範囲に含まれる。
（１）上記実施例では、固定具５０に筒状部５４を設け、排水ソケット３０の流入管部３６を筒状部５４に固定したが、これに限らず、排水ソケットの流入管部を固定具に固定する構造は任意に変更でき、例えば板状部に貫通穴を形成し、貫通穴に流入管部を挿入し、貫通穴の周縁部に流入管部を引っ掛けて保持する係止構造等を備えてもよい。
（２）上記実施例では、ソケット固定部５１の板状部５７が平面視方形状をなしているが、これに限らず、板状部５７の形状はどのような形状であってもよく、例えば円形状であってもよい。
（３）上記実施例では、固定具５０の脚部５２が床面１００に対して略垂直をなしているが、これに限らず、脚部は床面に対して斜め方向に立ってもよく、また、脚部は、上下方向の中間部で屈曲する形状であってもよい。
（４）上記実施例では、固定具５０に一対の脚部５２が設けられているが、これに限らず、脚部の数は適宜変更できる。
（５）上記実施例では、排水ソケット３０の流入口３１が、固定具５０に固定された状態において、鉛直上向きに開口しているが、流入口の開口方向は必ずしも鉛直上向きに開口しなくてよく、例えば便器本体の排水口の開口方向に沿うように斜め上方に開口する等してもよい。
（６）上記実施例では、排水ソケット３０が蛇腹状をなしているが、これに限らず、排水ソケットの形状は、軸線が曲がるように変形自在であれば、どのような形状であってもよい。
（７）上記実施例では、排水ソケット３０が少なくとも略９０度まで屈曲自在であるが、これに限らず、排水ソケットの屈曲可能な角度は９０度に至らない角度であってもよい。
【符号の説明】
【００４８】
Ｃ…排水接続具
Ｔ…水洗式便器
１０…便器本体
１１…便鉢
１６…排水口
３０…排水ソケット
３０Ｚ…軸線
３１…流入口
３２…流出口
３５…内周面
５０…固定具
１０１…床の排水管
１０２…壁の排水管
【図１】
2020037790.tif 000003
【図２】
2020037790.tif 000004
【図３】
2020037790.tif 000005
【図４】
2020037790.tif 000006
【図５】
2020037790.tif 000007